(57)【要約】【課題】本発明はキーボードクリーニング部品を開示した。【解決手段】本発明はキーボードクリーニング部品を開示し、殼本体を含み、前記殼本体の中には第一空きチャンバが設置され、前記第一空きチャンバの左端壁の中には第二空きチャンバが設置され、前記第二空きチャンバの左端壁の中に第三空きチャンバが設置され、本発明のキーボードクリーニング部品は、操作が簡単であり、反応が鋭く、クリーニング効率が高く、同時に、本発明の装置は収納機能を持ち、安全で信頼性が高く、実用性が高いである。【選択図】図１
2020179386.tif 000002
【特許請求の範囲】
【請求項１】
殼本体を含み、前記殼本体の中には第一空きチャンバが設置され、前記第一空きチャンバの左端壁の中には第二空きチャンバが設置され、前記第二空きチャンバの左端壁の中に第三空きチャンバが設置され、前記第三空きチャンバと前記第一空きチャンバとの間には左右に伸びている第一回転軸が回転できるように設置され、前記第一回転軸の右端にはねじロッドが設置され、第一回転軸の左端には第一プーリが固定的に設置され、前記第一空きチャンバの後側端壁には第一スライド溝が連通するように設置され、前記第一スライド溝の中にはスライドブロックがスライドできるように設置され、前記スライドブロックの中には前記ねじロッドと噛み合っている雌ねじが設置され、前記スライドブロックの頂面には固定ブロックが固定的に設置され、前記固定ブロックの中には左右に伸びているスプラインスリーブが回転できるように設置され、前記第二空きチャンバと前記第一空きチャンバとの間には前記スプラインスリーブと噛み合っているスプライン軸が回転できるように設置され、前記スプライン軸の左端には長ロッドが固定的に設置され、前記長ロッドの中には第二スライド溝が左右に貫通するように設置され、前記第三空きチャンバと前記第二空きチャンバとの間には左右に伸びている第二回転軸が回転できるように設置され、前記第二回転軸の右端には円盤が固定的に設置され、前記円盤の右端面には前記第二スライド溝の中でスライドしているリミットブロックが固定的に設置され、前記第二回転軸の左端には第二プーリが固定的に設置され、前記第一空きチャンバの底壁の中にはモーターが設置され、前記第三空きチャンバの右端壁の中には前記モーターと伝動できるように連結される第一駆動軸が回転できるように設置され、前記第一駆動軸の左端には第三プーリが固定的に設置され、前記第三プーリと、前記第一プーリと前記第二プーリとがベルトにより連結され、
それで、モーターが前記スライドブロックと前記固定ブロックとを駆動し前記第一空きチャンバの中で左右にスライドさせることを特徴とするキーボードクリーニング部品。
【請求項２】
前記モーターの右端壁の中には第四空きチャンバが設置され、前記第四空きチャンバと前記第一空きチャンバとの間には第一抜き穴が連通するように設置され、前記第四空きチャンバの底壁には下方に開口している吸気穴が連通するように設置され、前記吸気穴の中には逆止弁が固定的に設置され、前記第四空きチャンバの右端壁の中には第五空きチャンバが設置され、前記第四空きチャンバと前記第五空きチャンバとの間には前記モーターと伝動できるように連結される第二駆動軸が回転できるように設置され、前記第四空きチャンバの中にある前記第二駆動軸にはタービンが固定的に設置され、前記固定ブロックの中には上方に開口している回転チャンバが設置され、前記回転チャンバの中には前記スプラインスリーブと固定的に連結される送気針管が設置され、前記送気針管の中には上方に開口しているＬ型エア溝が設置され、前記回転チャンバの右端壁には右方に開口している第二抜き穴が連通するように設置され、前記第二抜き穴の中には前記Ｌ型エア溝と前記第一抜き穴と連結される吸気管が設置され、
それにより前記タービンが回転し空気を圧縮し、且つ前記吸気管により空気を前記Ｌ型エア溝の中に送ることを特徴とする請求項１に記載のキーボードクリーニング部品。
【請求項３】
前記第一空きチャンバの頂壁には上方に開口しているキーボード置き溝が連通するように設置され、前記キーボード置き溝には仕切板が左右対称的にスライドできるように設置され、二つの前記仕切板と前記キーボード置き溝の左右端面との間にはバネがそれぞれ連結され、二つの前記仕切板の間にはキーボード台座が取り付けられることができ、前記キーボード台座の頂面にはキーボードキャップが設置され、前記キーボード置き溝の底壁の左端には受信機が固定的に設置され、前記キーボード置き溝の底壁の右端には送信機が固定的に設置され、前記受信機と、前記送信機がそれぞれ前記モーターと通電できるように連結され、前記キーボード置き溝の右端壁の中には第六空きチャンバが連通するように設置され、前記第六空きチャンバと前記第五空きチャンバとの間には上下に伸びている第三回転軸が回転できるように設置され、前記第三回転軸の頂端にはカムが固定的に設置され、前記第三回転軸の底端には第一傘歯車が固定的に設置され、前記第二駆動軸の右端には前記第一傘歯車と噛み合っている第二傘歯車が固定的に設置され、
それにより、前記モーターが前記カムを回転駆動させ、前記カムが前記キーボード台座を左右に振れさせることを特徴とする請求項１に記載のキーボードクリーニング部品。
【発明の詳細な説明】
【技術分野】
【０００１】
本発明はコンピュータ部品分野を取り上げて、具体的にはキーボードクリーニング部品である。
【背景技術】
【０００２】
キーボードを掃除する時に、キーボードの隙間の中の埃と雑物を掃除するためにキーボードキャップを取り外す必要があり、キーボードキャップの取り外しと取付けは手間がかかるので、手動でキーボードを掃除するのは効率が低く、また、通常、キーボードが使用されていないときは、埃の蓄積を防ぐために、保管用の保管装置が必要であり、したがって、上述の問題を解決するためにキーボードクリーニング部品を設計する必要がある。
【先行技術文献】
【特許文献】
【０００３】
【特許文献１】中国特許出願公開第１０８４３５６３３号明細書
【発明の概要】
【発明が解決しようとする課題】
【０００４】
本発明の目的はキーボードクリーニング部品を提供し、現有の技術の上記欠点を克服できる。
【課題を解決するための手段】
【０００５】
本発明のキーボードクリーニング部品は、殼本体を含み、前記殼本体の中には第一空きチャンバが設置され、前記第一空きチャンバの左端壁の中には第二空きチャンバが設置され、前記第二空きチャンバの左端壁の中に第三空きチャンバが設置され、前記第三空きチャンバと前記第一空きチャンバとの間には左右に伸びている第一回転軸が回転できるように設置され、前記第一回転軸の右端にはねじロッドが設置され、第一回転軸の左端には第一プーリが固定的に設置され、前記第一空きチャンバの後側端壁には第一スライド溝が連通するように設置され、前記第一スライド溝の中にはスライドブロックがスライドできるように設置され、前記スライドブロックの中には前記ねじロッドと噛み合っている雌ねじが設置され、前記スライドブロックの頂面には固定ブロックが固定的に設置され、前記固定ブロックの中には左右に伸びているスプラインスリーブが回転できるように設置され、前記第二空きチャンバと前記第一空きチャンバとの間には前記スプラインスリーブと噛み合っているスプライン軸が回転できるように設置され、前記スプライン軸の左端には長ロッドが固定的に設置され、前記長ロッドの中には第二スライド溝が左右に貫通するように設置され、前記第三空きチャンバと前記第二空きチャンバとの間には左右に伸びている第二回転軸が回転できるように設置され、前記第二回転軸の右端には円盤が固定的に設置され、前記円盤の右端面には前記第二スライド溝の中でスライドしているリミットブロックが固定的に設置され、前記第二回転軸の左端には第二プーリが固定的に設置され、前記第一空きチャンバの底壁の中にはモーターが設置され、前記第三空きチャンバの右端壁の中には前記モーターと伝動できるように連結される第一駆動軸が回転できるように設置され、前記第一駆動軸の左端には第三プーリが固定的に設置され、前記第三プーリと、前記第一プーリと前記第二プーリとがベルトにより連結され、
それで、モーターが前記スライドブロックと前記固定ブロックとを駆動し前記第一空きチャンバの中で左右にスライドさせる。
【０００６】
更なる技術方案、前記モーターの右端壁の中には第四空きチャンバが設置され、前記第四空きチャンバと前記第一空きチャンバとの間には第一抜き穴が連通するように設置され、前記第四空きチャンバの底壁には下方に開口している吸気穴が連通するように設置され、前記吸気穴の中には逆止弁が固定的に設置され、前記第四空きチャンバの右端壁の中には第五空きチャンバが設置され、前記第四空きチャンバと前記第五空きチャンバとの間には前記モーターと伝動できるように連結される第二駆動軸が回転できるように設置され、前記第四空きチャンバの中にある前記第二駆動軸にはタービンが固定的に設置され、前記固定ブロックの中には上方に開口している回転チャンバが設置され、前記回転チャンバの中には前記スプラインスリーブと固定的に連結される送気針管が設置され、前記送気針管の中には上方に開口しているＬ型エア溝が設置され、前記回転チャンバの右端壁には右方に開口している第二抜き穴が連通するように設置され、前記第二抜き穴の中には前記Ｌ型エア溝と前記第一抜き穴と連結される吸気管が設置され、
それにより前記タービンが回転し空気を圧縮し、且つ前記吸気管により空気を前記Ｌ型エア溝の中に送る。
【０００７】
前記第一空きチャンバの頂壁には上方に開口しているキーボード置き溝が連通するように設置され、前記キーボード置き溝には仕切板が左右対称的にスライドできるように設置され、二つの前記仕切板と前記キーボード置き溝の左右端面との間にはバネがそれぞれ連結され、二つの前記仕切板の間にはキーボード台座が取り付けられることができ、前記キーボード台座の頂面にはキーボードキャップが設置され、前記キーボード置き溝の底壁の左端には受信機が固定的に設置され、前記キーボード置き溝の底壁の右端には送信機が固定的に設置され、前記受信機と、前記送信機がそれぞれ前記モーターと通電できるように連結され、前記キーボード置き溝の右端壁の中には第六空きチャンバが連通するように設置され、前記第六空きチャンバと前記第五空きチャンバとの間には上下に伸びている第三回転軸が回転できるように設置され、前記第三回転軸の頂端にはカムが固定的に設置され、前記第三回転軸の底端には第一傘歯車が固定的に設置され、前記第二駆動軸の右端には前記第一傘歯車と噛み合っている第二傘歯車が固定的に設置され、
それにより、前記モーターが前記カムを回転駆動させ、前記カムが前記キーボード台座を左右に振れさせる。
【発明の効果】
【０００８】
以上のように、本発明のキーボードクリーニング部品は、操作が簡単であり、反応が鋭く、クリーニング効率が高く、同時に、本発明の装置は収納機能を持ち、安全で信頼性が高く、実用性が高いである。
【図面の簡単な説明】
【０００９】
便利に説明するため、本発明は下記の具体実施例及び付図によって詳しく説明する。
【００１０】
【図１】図１は本発明のキーボードクリーニング部品の全体構造模式図
【図２】図２は図１の拡大構造模式図
【図３】図３は図１の上面図
【図４】図４は図１のＢの拡大構造模式図
【図５】図５は図１のＣの拡大構造模式図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
下記に図１−５をあわせて本発明について詳しく説明し、便利に説明するために、下記の方向を以下のように規定する：以下に述べる上下左右前後の方向と図１の自身投影関係の上下左右前後の方向とが一致である。
【００１３】
図１−５に示すように、本発明のキーボードクリーニング部品は、殼本体１３を含み、前記殼本体１３の中には第一空きチャンバ３５が設置され、前記第一空きチャンバ３５の左端壁の中には第二空きチャンバ１４が設置され、前記第二空きチャンバ１４の左端壁の中に第三空きチャンバ２４が設置され、前記第三空きチャンバ２４と前記第一空きチャンバ３５との間には左右に伸びている第一回転軸２１が回転できるように設置され、前記第一回転軸２１の右端にはねじロッド４１が設置され、第一回転軸２１の左端には第一プーリ２０が固定的に設置され、前記第一空きチャンバ３５の後側端壁には第一スライド溝４２が連通するように設置され、前記第一スライド溝４２の中にはスライドブロック３９がスライドできるように設置され、前記スライドブロック３９の中には前記ねじロッド４１と噛み合っている雌ねじ４０が設置され、前記スライドブロック３９の頂面には固定ブロック５０が固定的に設置され、前記固定ブロック５０の中には左右に伸びているスプラインスリーブ５２が回転できるように設置され、前記第二空きチャンバ１４と前記第一空きチャンバ３５との間には前記スプラインスリーブ５２と噛み合っているスプライン軸５３が回転できるように設置され、前記スプライン軸５３の左端には長ロッド２２が固定的に設置され、前記長ロッド２２の中には第二スライド溝１９が左右に貫通するように設置され、前記第三空きチャンバ２４と前記第二空きチャンバ１４との間には左右に伸びている第二回転軸１６が回転できるように設置され、前記第二回転軸１６の右端には円盤１７が固定的に設置され、前記円盤１７の右端面には前記第二スライド溝１９の中でスライドしているリミットブロック１８が固定的に設置され、前記第二回転軸１６の左端には第二プーリ１５が固定的に設置され、前記第一空きチャンバ３５の底壁の中にはモーター２７が設置され、前記第三空きチャンバ２４の右端壁の中には前記モーター２７と伝動できるように連結される第一駆動軸２６が回転できるように設置され、前記第一駆動軸２６の左端には第三プーリ２３が固定的に設置され、前記第三プーリ２３と、前記第一プーリ２０と前記第二プーリ１５とがベルト２５により連結され、
それで、モーター２７が前記スライドブロック３９と前記固定ブロック５０とを駆動し前記第一空きチャンバ３５の中で左右にスライドさせる。
【００１４】
有益的に、前記モーター２７の右端壁の中には第四空きチャンバ２９が設置され、前記第四空きチャンバ２９と前記第一空きチャンバ３５との間には第一抜き穴３７が連通するように設置され、前記第四空きチャンバ２９の底壁には下方に開口している吸気穴３０が連通するように設置され、前記吸気穴３０の中には逆止弁３１が固定的に設置され、前記第四空きチャンバ２９の右端壁の中には第五空きチャンバ３４が設置され、前記第四空きチャンバ２９と前記第五空きチャンバ３４との間には前記モーター２７と伝動できるように連結される第二駆動軸２８が回転できるように設置され、前記第四空きチャンバ２９の中にある前記第二駆動軸２８にはタービン３２が固定的に設置され、前記固定ブロック５０の中には上方に開口している回転チャンバ５１が設置され、前記回転チャンバ５１の中には前記スプラインスリーブ５２と固定的に連結される送気針管５４が設置され、前記送気針管５４の中には上方に開口しているＬ型エア溝５６が設置され、前記回転チャンバ５１の右端壁には右方に開口している第二抜き穴５５が連通するように設置され、前記第二抜き穴５５の中には前記Ｌ型エア溝５６と前記第一抜き穴３７と連結される吸気管３８が設置され、
それにより前記タービン３２が回転し空気を圧縮し、且つ前記吸気管３８により空気を前記Ｌ型エア溝５６の中に送る。
【００１５】
有益的に、前記第一空きチャンバ３５の頂壁には上方に開口しているキーボード置き溝１０が連通するように設置され、前記キーボード置き溝１０には仕切板４９が左右対称的にスライドできるように設置され、二つの前記仕切板４９と前記キーボード置き溝１０の左右端面との間にはバネ４８がそれぞれ連結され、二つの前記仕切板４９の間にはキーボード台座１２が取り付けられることができ、前記キーボード台座１２の頂面にはキーボードキャップ１１が設置され、前記キーボード置き溝１０の底壁の左端には受信機４４が固定的に設置され、前記キーボード置き溝１０の底壁の右端には送信機４５が固定的に設置され、前記受信機４４と、前記送信機４５がそれぞれ前記モーター２７と通電できるように連結され、前記キーボード置き溝１０の右端壁の中には第六空きチャンバ４６が連通するように設置され、前記第六空きチャンバ４６と前記第五空きチャンバ３４との間には上下に伸びている第三回転軸４３が回転できるように設置され、前記第三回転軸４３の頂端にはカム４７が固定的に設置され、前記第三回転軸４３の底端には第一傘歯車３６が固定的に設置され、前記第二駆動軸２８の右端には前記第一傘歯車３６と噛み合っている第二傘歯車３３が固定的に設置され、
それにより、前記モーター２７が前記カム４７を回転駆動させ、前記カム４７が前記キーボード台座１２を左右に振れさせる。
【００１６】
下記に、附図と上記に記載のキーボードクリーニング部品の具体的な構造を参考して本発明の使用方法について詳しく紹介する。
【００１７】
初期状態のとき、送信機４５がレーザを受信機４４に送り、レーザー受信が円滑な場合、モーター２７が通電しない。
【００１８】
キーボード台座１２がキーボード置き溝１０に正方向に置かられる時に、キーボードキャップ１１がキーボード置き溝１０の頂端に位置しており、この時、装置は正常的なキーボード収納の状態にあり、キーボードを収納する。
【００１９】
キーボード台座１２がキーボード置き溝１０に反方向に置かられる時に、キーボードキャップ１１が第一空きチャンバ３５の中に位置しており、送信機４５から発射されたレーザを遮断し、すなわちモータ２７が通電し、モーター２７が第一駆動軸２６と第二駆動軸２８とを回転連動させ、第一駆動軸２６が第三プーリ２３を回転連動させ、第三プーリ２３がベルト２５により第一プーリ２０と第二プーリ１５とを回転連動させ、第一プーリ２０が回転しねじロッド４１を回転連動させ、雌ねじ４２がスライドブロック３９と係合しスライドブロック３９を第一スライド溝４２の中でスライド連動させ、第一スライド溝４２が固定ブロック５０とスプラインスリーブ５２とをスプライン軸５３でスライド連動させ、この時、送気針管５４が横向きに運動し、同時に第二プーリ１５が円盤１７を回転連動させ、円盤１７がリミットブロック１８を第二スライド溝１９の中でスライド連動させ、それにより長ロッド２２が前後に揺れ動き、長ロッド２２がスプライン軸５３とスプラインスリーブ５２とを前後に揺れ動かせて連動させ、すなわち送気針管５４が前後に揺れ動き、この時に送気針管５４が前後に揺れ動きまた横向きにスライドし、同時に、第二駆動軸２８がタービン３２を回転連動させ、タービン３２が圧縮空気を吸気管３８によりＬ型エア溝５６に送り、且つＬ型エア溝５６から射出し、すなわちキーボードキャップ１１の全部の面積が圧縮空気で噴射され、キーボードの隙間の不純物を除去する。
【００２０】
同時に、第二駆動軸２８が第二傘歯車３３を回転連動させ、第二傘歯車３３が第一傘歯車３６とカム４７とを回転連動させ、カム４７が仕切板４９を左右にスライド連動させ、仕切板４９がキーボード台座１２を左右に揺れ動かせて連動させ、キーボード台座１２に付着した固形異物を振るい、クリーニング効率を高める。
【００２１】
以上に述べたのはただ本発明の具体的な実施方式で、しかし本発明の保護範囲はここに限らないである。全部の創造的な労働を通じなく思いついた変化と取替は本発明の保護範囲にカバーされる。
【図１】
2020179386.tif 000003
【図２】
2020179386.tif 000004
【図３】
2020179386.tif 000005
【図４】
2020179386.tif 000006
【図５】
2020179386.tif 000007
【手続補正書】
【提出日】令和2年5月6日(2020.5.6)
【手続補正１】
【補正対象書類名】特許請求の範囲
【補正対象項目名】全文
【補正方法】変更
【補正の内容】
【特許請求の範囲】
【請求項１】
殼本体を含み、前記殼本体の中には第一空きチャンバが設置され、前記第一空きチャンバの左端壁の中には第二空きチャンバが設置され、前記第二空きチャンバの左端壁の中に第三空きチャンバが設置され、前記第三空きチャンバと前記第一空きチャンバとの間には左右に伸びている第一回転軸が回転できるように設置され、前記第一回転軸の右端にはねじロッドが設置され、第一回転軸の左端には第一プーリが固定的に設置され、前記第一空きチャンバの後側端壁には第一スライド溝が設置され、前記第一スライド溝の中にはスライドブロックがスライドできるように設置され、前記スライドブロックには前記ねじロッドと噛み合っている雌ねじが設置され、前記スライドブロックの頂面には固定ブロックが固定的に設置され、前記固定ブロックの中には左右に伸びているスプラインスリーブが回転できるように設置され、前記第二空きチャンバと前記第一空きチャンバとの間には前記スプラインスリーブと噛み合っているスプライン軸が回転できるように設置され、前記スプライン軸の左端には長ロッドが固定的に設置され、前記長ロッドの中には第二スライド溝が左右に貫通するように設置され、前記第三空きチャンバと前記第二空きチャンバとの間には左右に伸びている第二回転軸が回転できるように設置され、前記第二回転軸の右端には円盤が固定的に設置され、前記円盤の右端面には前記第二スライド溝の中でスライドしているリミットブロックが固定的に設置され、前記第二回転軸の左端には第二プーリが固定的に設置され、前記第一空きチャンバの底壁の中にはモーターが設置され、前記第三空きチャンバの右端壁の中には前記モーターと伝動できるように連結される第一駆動軸が回転できるように設置され、前記第一駆動軸の左端には第三プーリが固定的に設置され、前記第三プーリと、前記第一プーリと前記第二プーリとがベルトにより連結され、
それで、モーターが前記スライドブロックと前記固定ブロックとを駆動し前記第一空きチャンバの中で左右にスライドさせることができ、
前記モーターの右端壁の中には第四空きチャンバが設置され、前記第四空きチャンバと前記第一空きチャンバとの間には第一抜き穴が連通するように設置され、前記第四空きチャンバの底壁には下方に開口している吸気穴が連通するように設置され、前記吸気穴の中には逆止弁が固定的に設置され、前記第四空きチャンバの右端壁の中には第五空きチャンバが設置され、前記第四空きチャンバと前記第五空きチャンバとの間には前記モーターと伝動できるように連結される第二駆動軸が回転できるように設置され、前記第四空きチャンバの中にある前記第二駆動軸にはタービンが固定的に設置され、前記固定ブロックの中には上方に開口している回転チャンバが設置され、前記回転チャンバの中には前記スプラインスリーブと固定的に連結される送気針管が設置され、前記送気針管の中には上方に開口しているＬ型エア溝が設置され、前記回転チャンバの右端壁には右方に開口している第二抜き穴が連通するように設置され、前記第二抜き穴の中には前記Ｌ型エア溝と前記第一抜き穴と連結される吸気管が設置され、
それにより前記タービンが回転し空気を圧縮し、且つ前記吸気管により空気を前記Ｌ型エア溝の中に送ることができ、
前記第一空きチャンバの頂壁には上方に開口しているキーボード置き溝が連通するように設置され、前記キーボード置き溝には仕切板が左右対称的にスライドできるように設置され、二つの前記仕切板と前記キーボード置き溝の左右端面との間にはバネがそれぞれ連結され、二つの前記仕切板の間にはキーボード台座が取り付けられることができ、前記キーボード台座の頂面にはキーボードキャップが設置され、前記キーボード置き溝の底壁の左端には受信機が固定的に設置され、前記キーボード置き溝の底壁の右端には送信機が固定的に設置され、前記受信機と、前記送信機がそれぞれ前記モーターに導線によって連結され、前記キーボード置き溝の右端壁の中には第六空きチャンバが連通するように設置され、前記第六空きチャンバと前記第五空きチャンバとの間には上下に伸びている第三回転軸が回転できるように設置され、前記第三回転軸の頂端にはカムが固定的に設置され、前記第三回転軸の底端には第一傘歯車が固定的に設置され、前記第二駆動軸の右端には前記第一傘歯車と噛み合っている第二傘歯車が固定的に設置され、
それにより、前記モーターが前記カムを回転駆動させ、前記カムが前記キーボード台座を左右に振れさせることを特徴とするキーボードクリーニング部品。
【手続補正２】
【補正対象書類名】明細書
【補正対象項目名】全文
【補正方法】変更
【補正の内容】
【発明の詳細な説明】
【技術分野】
【０００１】
本発明はコンピュータ部品分野を取り上げて、具体的にはキーボードクリーニング部品である。
【背景技術】
【０００２】
キーボードを掃除する時に、キーボードの隙間の中の埃と雑物を掃除するためにキーボードキャップを取り外す必要があり、キーボードキャップの取り外しと取付けは手間がかかるので、手動でキーボードを掃除するのは効率が低く、また、通常、キーボードが使用されていないときは、埃の蓄積を防ぐために、保管用の保管装置が必要であり、したがって、上述の問題を解決するためにキーボードクリーニング部品を設計する必要がある。
【先行技術文献】
【特許文献】
【０００３】
【特許文献１】中国特許出願公開第１０８４３５６３３号明細書
【発明の概要】
【発明が解決しようとする課題】
【０００４】
本発明の目的はキーボードクリーニング部品を提供し、現有の技術の上記欠点を克服できる。
【課題を解決するための手段】
【０００５】
本発明のキーボードクリーニング部品は、殼本体を含み、前記殼本体の中には第一空きチャンバが設置され、前記第一空きチャンバの左端壁の中には第二空きチャンバが設置され、前記第二空きチャンバの左端壁の中に第三空きチャンバが設置され、前記第三空きチャンバと前記第一空きチャンバとの間には左右に伸びている第一回転軸が回転できるように設置され、前記第一回転軸の右端にはねじロッドが設置され、第一回転軸の左端には第一プーリが固定的に設置され、前記第一空きチャンバの後側端壁には第一スライド溝が設置され、前記第一スライド溝の中にはスライドブロックがスライドできるように設置され、前記スライドブロックには前記ねじロッドと噛み合っている雌ねじが設置され、前記スライドブロックの頂面には固定ブロックが固定的に設置され、前記固定ブロックの中には左右に伸びているスプラインスリーブが回転できるように設置され、前記第二空きチャンバと前記第一空きチャンバとの間には前記スプラインスリーブと噛み合っているスプライン軸が回転できるように設置され、前記スプライン軸の左端には長ロッドが固定的に設置され、前記長ロッドの中には第二スライド溝が左右に貫通するように設置され、前記第三空きチャンバと前記第二空きチャンバとの間には左右に伸びている第二回転軸が回転できるように設置され、前記第二回転軸の右端には円盤が固定的に設置され、前記円盤の右端面には前記第二スライド溝の中でスライドしているリミットブロックが固定的に設置され、前記第二回転軸の左端には第二プーリが固定的に設置され、前記第一空きチャンバの底壁の中にはモーターが設置され、前記第三空きチャンバの右端壁の中には前記モーターと伝動できるように連結される第一駆動軸が回転できるように設置され、前記第一駆動軸の左端には第三プーリが固定的に設置され、前記第三プーリと、前記第一プーリと前記第二プーリとがベルトにより連結され、
それで、モーターが前記スライドブロックと前記固定ブロックとを駆動し前記第一空きチャンバの中で左右にスライドさせる。
【０００６】
更なる技術方案、前記モーターの右端壁の中には第四空きチャンバが設置され、前記第四空きチャンバと前記第一空きチャンバとの間には第一抜き穴が連通するように設置され、前記第四空きチャンバの底壁には下方に開口している吸気穴が連通するように設置され、前記吸気穴の中には逆止弁が固定的に設置され、前記第四空きチャンバの右端壁の中には第五空きチャンバが設置され、前記第四空きチャンバと前記第五空きチャンバとの間には前記モーターと伝動できるように連結される第二駆動軸が回転できるように設置され、前記第四空きチャンバの中にある前記第二駆動軸にはタービンが固定的に設置され、前記固定ブロックの中には上方に開口している回転チャンバが設置され、前記回転チャンバの中には前記スプラインスリーブと固定的に連結される送気針管が設置され、前記送気針管の中には上方に開口しているＬ型エア溝が設置され、前記回転チャンバの右端壁には右方に開口している第二抜き穴が連通するように設置され、前記第二抜き穴の中には前記Ｌ型エア溝と前記第一抜き穴と連結される吸気管が設置され、
それにより前記タービンが回転し空気を圧縮し、且つ前記吸気管により空気を前記Ｌ型エア溝の中に送る。
【０００７】
前記第一空きチャンバの頂壁には上方に開口しているキーボード置き溝が連通するように設置され、前記キーボード置き溝には仕切板が左右対称的にスライドできるように設置され、二つの前記仕切板と前記キーボード置き溝の左右端面との間にはバネがそれぞれ連結され、二つの前記仕切板の間にはキーボード台座が取り付けられることができ、前記キーボード台座の頂面にはキーボードキャップが設置され、前記キーボード置き溝の底壁の左端には受信機が固定的に設置され、前記キーボード置き溝の底壁の右端には送信機が固定的に設置され、前記受信機と、前記送信機がそれぞれ前記モーターに導線によって連結され、前記キーボード置き溝の右端壁の中には第六空きチャンバが連通するように設置され、前記第六空きチャンバと前記第五空きチャンバとの間には上下に伸びている第三回転軸が回転できるように設置され、前記第三回転軸の頂端にはカムが固定的に設置され、前記第三回転軸の底端には第一傘歯車が固定的に設置され、前記第二駆動軸の右端には前記第一傘歯車と噛み合っている第二傘歯車が固定的に設置され、
それにより、前記モーターが前記カムを回転駆動させ、前記カムが前記キーボード台座を左右に振れさせる。
【発明の効果】
【０００８】
以上のように、本発明のキーボードクリーニング部品は、操作が簡単であり、反応が鋭く、クリーニング効率が高く、同時に、本発明の装置は収納機能を持ち、安全で信頼性が高く、実用性が高いである。
【図面の簡単な説明】
【０００９】
便利に説明するため、本発明は下記の具体実施例及び付図によって詳しく説明する。
【００１０】
【図１】図１は本発明のキーボードクリーニング部品の全体構造模式図
【図２】図２は図１の拡大構造模式図
【図３】図３は図１の上面図
【図４】図４は図１のＢの拡大構造模式図
【図５】図５は図１のＣの拡大構造模式図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
下記に図１−５をあわせて本発明について詳しく説明し、便利に説明するために、下記の方向を以下のように規定する：以下に述べる上下左右前後の方向と図１の自身投影関係の上下左右前後の方向とが一致である。
【００１３】
図１−５に示すように、本発明のキーボードクリーニング部品は、殼本体１３を含み、前記殼本体１３の中には第一空きチャンバ３５が設置され、前記第一空きチャンバ３５の左端壁の中には第二空きチャンバ１４が設置され、前記第二空きチャンバ１４の左端壁の中に第三空きチャンバ２４が設置され、前記第三空きチャンバ２４と前記第一空きチャンバ３５との間には左右に伸びている第一回転軸２１が回転できるように設置され、前記第一回転軸２１の右端にはねじロッド４１が設置され、第一回転軸２１の左端には第一プーリ２０が固定的に設置され、前記第一空きチャンバ３５の後側端壁には第一スライド溝４２が設置され、前記第一スライド溝４２の中にはスライドブロック３９がスライドできるように設置され、前記スライドブロック３９には前記ねじロッド４１と噛み合っている雌ねじ４０が設置され、前記スライドブロック３９の頂面には固定ブロック５０が固定的に設置され、前記固定ブロック５０の中には左右に伸びているスプラインスリーブ５２が回転できるように設置され、前記第二空きチャンバ１４と前記第一空きチャンバ３５との間には前記スプラインスリーブ５２と噛み合っているスプライン軸５３が回転できるように設置され、前記スプライン軸５３の左端には長ロッド２２が固定的に設置され、前記長ロッド２２の中には第二スライド溝１９が左右に貫通するように設置され、前記第三空きチャンバ２４と前記第二空きチャンバ１４との間には左右に伸びている第二回転軸１６が回転できるように設置され、前記第二回転軸１６の右端には円盤１７が固定的に設置され、前記円盤１７の右端面には前記第二スライド溝１９の中でスライドしているリミットブロック１８が固定的に設置され、前記第二回転軸１６の左端には第二プーリ１５が固定的に設置され、前記第一空きチャンバ３５の底壁の中にはモーター２７が設置され、前記第三空きチャンバ２４の右端壁の中には前記モーター２７と伝動できるように連結される第一駆動軸２６が回転できるように設置され、前記第一駆動軸２６の左端には第三プーリ２３が固定的に設置され、前記第三プーリ２３と、前記第一プーリ２０と前記第二プーリ１５とがベルト２５により連結され、
それで、モーター２７が前記スライドブロック３９と前記固定ブロック５０とを駆動し前記第一空きチャンバ３５の中で左右にスライドさせる。
【００１４】
有益的に、前記モーター２７の右端壁の中には第四空きチャンバ２９が設置され、前記第四空きチャンバ２９と前記第一空きチャンバ３５との間には第一抜き穴３７が連通するように設置され、前記第四空きチャンバ２９の底壁には下方に開口している吸気穴３０が連通するように設置され、前記吸気穴３０の中には逆止弁３１が固定的に設置され、前記第四空きチャンバ２９の右端壁の中には第五空きチャンバ３４が設置され、前記第四空きチャンバ２９と前記第五空きチャンバ３４との間には前記モーター２７と伝動できるように連結される第二駆動軸２８が回転できるように設置され、前記第四空きチャンバ２９の中にある前記第二駆動軸２８にはタービン３２が固定的に設置され、前記固定ブロック５０の中には上方に開口している回転チャンバ５１が設置され、前記回転チャンバ５１の中には前記スプラインスリーブ５２と固定的に連結される送気針管５４が設置され、前記送気針管５４の中には上方に開口しているＬ型エア溝５６が設置され、前記回転チャンバ５１の右端壁には右方に開口している第二抜き穴５５が連通するように設置され、前記第二抜き穴５５の中には前記Ｌ型エア溝５６と前記第一抜き穴３７と連結される吸気管３８が設置され、
それにより前記タービン３２が回転し空気を圧縮し、且つ前記吸気管３８により空気を前記Ｌ型エア溝５６の中に送る。
【００１５】
有益的に、前記第一空きチャンバ３５の頂壁には上方に開口しているキーボード置き溝１０が連通するように設置され、前記キーボード置き溝１０には仕切板４９が左右対称的にスライドできるように設置され、二つの前記仕切板４９と前記キーボード置き溝１０の左右端面との間にはバネ４８がそれぞれ連結され、二つの前記仕切板４９の間にはキーボード台座１２が取り付けられることができ、前記キーボード台座１２の頂面にはキーボードキャップ１１が設置され、前記キーボード置き溝１０の底壁の左端には受信機４４が固定的に設置され、前記キーボード置き溝１０の底壁の右端には送信機４５が固定的に設置され、前記受信機４４と、前記送信機４５がそれぞれ前記モーター２７に導線によって連結され、前記キーボード置き溝１０の右端壁の中には第六空きチャンバ４６が連通するように設置され、前記第六空きチャンバ４６と前記第五空きチャンバ３４との間には上下に伸びている第三回転軸４３が回転できるように設置され、前記第三回転軸４３の頂端にはカム４７が固定的に設置され、前記第三回転軸４３の底端には第一傘歯車３６が固定的に設置され、前記第二駆動軸２８の右端には前記第一傘歯車３６と噛み合っている第二傘歯車３３が固定的に設置され、
それにより、前記モーター２７が前記カム４７を回転駆動させ、前記カム４７が前記キーボード台座１２を左右に振れさせる。
【００１６】
下記に、附図と上記に記載のキーボードクリーニング部品の具体的な構造を参考して本発明の使用方法について詳しく紹介する。
【００１７】
初期状態のとき、送信機４５がレーザを受信機４４に送り、レーザー受信が円滑な場合、モーター２７が通電しない。
【００１８】
キーボード台座１２がキーボード置き溝１０に正方向に置かられる時に、キーボードキャップ１１がキーボード置き溝１０の頂端に位置しており、この時、装置は正常的なキーボード収納の状態にあり、キーボードを収納する。
【００１９】
キーボード台座１２がキーボード置き溝１０に反方向に置かられる時に、キーボードキャップ１１が第一空きチャンバ３５の中に位置しており、送信機４５から発射されたレーザを遮断し、すなわちモータ２７が通電し、モーター２７が第一駆動軸２６と第二駆動軸２８とを回転連動させ、第一駆動軸２６が第三プーリ２３を回転連動させ、第三プーリ２３がベルト２５により第一プーリ２０と第二プーリ１５とを回転連動させ、第一プーリ２０が回転しねじロッド４１を回転連動させ、雌ねじ４２がスライドブロック３９と係合しスライドブロック３９を第一スライド溝４２の中でスライド連動させ、第一スライド溝４２が固定ブロック５０とスプラインスリーブ５２とをスプライン軸５３でスライド連動させ、この時、送気針管５４が横向きに運動し、同時に第二プーリ１５が円盤１７を回転連動させ、円盤１７がリミットブロック１８を第二スライド溝１９の中でスライド連動させ、それにより長ロッド２２が前後に揺れ動き、長ロッド２２がスプライン軸５３とスプラインスリーブ５２とを前後に揺れ動かせて連動させ、すなわち送気針管５４が前後に揺れ動き、この時に送気針管５４が前後に揺れ動きまた横向きにスライドし、同時に、第二駆動軸２８がタービン３２を回転連動させ、タービン３２が圧縮空気を吸気管３８によりＬ型エア溝５６に送り、且つＬ型エア溝５６から射出し、すなわちキーボードキャップ１１の全部の面積が圧縮空気で噴射され、キーボードの隙間の不純物を除去する。
【００２０】
同時に、第二駆動軸２８が第二傘歯車３３を回転連動させ、第二傘歯車３３が第一傘歯車３６とカム４７とを回転連動させ、カム４７が仕切板４９を左右にスライド連動させ、仕切板４９がキーボード台座１２を左右に揺れ動かせて連動させ、キーボード台座１２に付着した固形異物を振るい、クリーニング効率を高める。
【００２１】
以上に述べたのはただ本発明の具体的な実施方式で、しかし本発明の保護範囲はここに限らないである。全部の創造的な労働を通じなく思いついた変化と取替は本発明の保護範囲にカバーされる。